(57)【特許請求の範囲】
【請求項１】
紙搬送路をなしているローラ群と、モーターが組み込まれる上、該モーターにより駆動され、且つ前記モーターからの駆動力を前記ローラ群に伝えて駆動するように構成されている歯車列との連動関係で、紙を取り入れ、そして、画像形成機構を通り掛かって画像形成処理を受けるように搬送してから送り出す画像形成装置において、
前記歯車列は、互いに噛み合って前記モーターからの駆動力を前記ローラ群に伝えて駆動する複数の歯車と、
両端部を有し、その一端部が支持軸により第１の所定位置に軸支されて該支持軸上に回転可能になっているロッカーアームとを有しており、
前記複数の歯車は、少なくとも
その歯車同士の連動関係において、前記モーターに対し、より近い側からより遠い側へと、
前記支持軸に回転可能に軸支されており、且つ、正常稼動時に駆動される上、前記ロッカーアームを回転させることができるように配置構成されている第１の歯車と、
前記ロッカーアームの他端部に、正常稼動時に前記第１の歯車の回転に駆動されて回転するように取付けられている第２の歯車と、
第２の所定位置に、正常稼動時に前記第２の歯車と噛み合って回転し、且つ、前記ロッカーアームの前記回転を止めるように取付けられている第３の歯車とを有しており、
また、前記画像形成機構は、画像定着機構を備えており、
該画像定着機構は、定着ローラ組の外に、更に、
トナーを供給するためのトナーカートリッジと、本体と、該本体に突っ張るように配置されている付勢手段とを備えており、且つ、通常時に前記本体が前記付勢手段に対抗して付勢力を発生させながら前記トナーカートリッジに押さえられ、前記ロッカーアームを押さえていない第１の位置に位置し、前記トナーカートリッジが取り外された時に前記本体が前記付勢手段の付勢力に押さえられて前記ロッカーアームを押して回転させてから、前記第２の歯車を前記第３の歯車から離間させた第２の位置に移動することができるように配置構成されている押動手段と、を備えており、
それにより、前記搬送路に紙が詰まった状態で前記第１の歯車が駆動されていない非稼動時に前記第３の歯車が外力により回転されると、前記ロッカーアームは前記第２の歯車を介して伝達される前記第３の歯車の回転力により撥ねられ、前記第２の歯車を前記第３の歯車から離間させ、前記ローラ群を一時的に前記モーターにより駆動されないようにすることによって、前記モーターを停止せずに前記搬送路から紙が容易に取り外されうることを特徴とする画像形成装置。
【請求項２】
前記本体としてクランクが使用されており、該クランクは、両端部を有し、且つ、その一端部が通常時に前記トナーカートリッジに押さえられることができるように回動可能に軸支されており、
前記付勢手段としてねじりバネが使用されており、該ねじりバネは、前記トナーカートリッジが前記クランクの前記一端に押さえている時に圧縮されて前記クランクに反対方向に回動する付勢力を与え、前記トナーカートリッジが取り外された時に、前記付勢力で前記クランクを前記第１の位置から前記第２の位置にカーブ状に移動させて前記クランクの他端部で前記ロッカーアームの他端部を反対方向に回転させるように取り付けられていることを特徴とする請求項１に記載の画像形成装置。
【請求項３】
前記ローラ群は、プリント用紙取入れローラ組と、プリント用紙送出しローラ組とを備えており、
前記画像形成機構は、感光ローラ組と、定着ローラ組とを備えており、
また、前記歯車列は、前記プリント用紙取入れローラ組への分岐もあり、前記プリント用紙送出しローラ組への分岐もあり、前記感光ローラ組への分岐もあり、前記定着ローラ組への分岐もあり、
また、前記第１の歯車と、第２の歯車と、第３の歯車との歯車組は、一組だけあり、且つ、前記歯車列におけるモーターと、前記あらゆる分岐においてその分岐点が前記連動関係においてモーターと一番近い一つの分岐点との間に並んでいることを特徴とする請求項１または請求項２に記載の画像形成装置。
【請求項４】
前記ロッカーアームは、その前記一端部が前記第１の歯車と摩擦関係になっていて正常稼動時に前記第１の歯車の回転により駆動されて回転することができることを特徴とする請求項１〜請求項３のいずれか一項に記載の画像形成装置。
【請求項５】
前記付勢手段として、その付勢力で前記本体を前記第１の位置から前記第２の位置に線
形的に移動させることができるコイルバネが使用されており、
また、前記ロッカーアームに、前記本体の前記移動を案内しながら該本体の線形的移動の力量を前記ロッカーアームを回転させる力量に変更させるカム面が設けてあることを特徴とする請求項１〜請求項４のいずれか一項に記載の画像形成装置。
【請求項６】
前記本体及び前記ロッカーアームには、それぞれ前記線形的移動の方向に沿っている側面があり、
そのうち、前記ロッカーアームの側面に、上面が斜面となって前記カム面とされた案内レールが形成されており、
前記本体の側面に前記案内レールの上面に案内されうる突起が形成されていることを特徴とする請求項５に記載の画像形成装置。
【請求項７】
前記クランクにおける前記他端部の先端面が円弧状となっており、
前記ロッカーアームにおける前記他端部に円環形突起が形成されており、且つ、前記トナーカートリッジが取り外された時に該円環形突起の外表面で前記クランクの円弧状先端面と当接すると同時に、前記クランクからの押圧力を受けるように配置構成されていることを特徴とする請求項２に記載の画像形成装置。
【発明の詳細な説明】
【技術分野】
【０００１】
本発明は、画像形成装置に関し、特に、ローラ群と歯車列との連動で、紙が画像形成機構を通過して画像形成処理を受けるように搬送する画像形成装置に関する。
【背景技術】
【０００２】
現在の画像形成装置は、すべて紙を自動的に搬送することができるようになっている。
例えば、コピーマシンは、通常、原稿を露光／感光ローラ組などの画像読取手段を通過するように搬送し、該画像読取手段で原稿の記載内容を読み取る一方、コピー用紙を定着ローラ組などの画像定着手段を通り掛るように搬送し、該画像定着手段で前記画像読取手段の読み取った画像をコピー用紙に画像形成してから送り出す、という仕組みになっている。
【０００３】
また、コンピュータ用のプリンターは、通常、感光ローラ組などの画像読取手段でコンピュータから画像信号を読み取る一方、プリント用紙を定着ローラ組などの画像定着手段を通り掛るように搬送し、該画像定着手段で前記画像読取手段の読み取った画像をプリント用紙に画像形成してから送り出す、という仕組みになっている。
【０００４】
即ち、コピーマシンの原稿搬送であれ、コピー用紙搬送であれ、または、プリンターのプリント用紙搬送であれ、現在の画像形成装置は、すべて、紙搬送路をなしているローラ群と、モーターが組み込まれる上、該モーターの駆動力を前記ローラ群に伝えるように構成されている歯車列との連動で、原稿や、コピー用紙、プリント用紙などの紙を取り入れ、そして、画像形成機構を通り掛かって画像形成処理を受けるように搬送してから送り出すものになっている。
【０００５】
さて、ローラ群と歯車列との連動構成で、紙が画像形成機構を通過するように搬送する画像形成装置に、紙の自動搬送が実施されて以来、いつも紙詰まりの問題が生じ、特に、画像形成の高速化が求められる現在では、なお甚だしくなってきた。
【０００６】
この問題点について、紙の搬送仕組み全体の再検討によって紙詰まりの発生率を低下させることが、もちろん考えられるが、紙の搬送仕組みの改良により、紙搬送路に詰まった紙の排除を簡単にさせることもよく考えられる。
【０００７】
特許文献１及び特許文献２を例として、この二つの特許は、紙の搬送仕組みの改良により、プリンターのプリント用紙搬送路に詰まった紙の排除を簡単にさせる発明である。これら二つの特許発明の記載内容を見てみると、前者のプリンターは、図１及び図２に示すように、定着ローラ３２Ａと定着ローラ３２Ｂとからなっている定着ローラ組における定着ローラ３２Ａが上下微動可能になっている。この上下微動可能な定着ローラ３２Ａは、通常時に、そのレバー６１１がトナーカートリッジ３０に押さえられているレバー付きカム６１の回動トルクにより上へ押されて定着ローラ３２Ｂにぴったりと付随されているが、前記トナーカートリッジ３０が取り外されると、トナーカートリッジ３０のレバー６１１への押さえがリリースされることと、レバー付きカム６１のばね６０の作用による回動とにより下へ微動し、定着ローラ３２Ｂから離間することができるので、定着ローラ３２Ａと定着ローラ３２Ｂとの間に詰まったプリント用紙が手で容易に取り出されるようになる（特許文献１参照）。また、後者のプリンターは、モーターを逆転させる機構が設置される上、図３に示すように、その歯車列における、ある歯車２２４が、モーターが逆転すると正当位置から外れるようになっているため、モーターを一旦逆転させて前記歯車２２４を歯車列における正当位置から外す上、プリント用紙を搬送するローラ群をそのモーターとの連動関係からリリースし、ローラ群のいずれのローラ組をもモーターに係止されずに回動自在になさせることができるので、ローラ群からなっているプリント用紙搬送路に詰まったプリント用紙が手で容易に取り出されるようになる（特許文献２参照）。
【０００８】
前記二つの特許発明のプリンターは、紙の搬送仕組みの改良により、詰まったプリント用紙の排除を簡単にさせることができるが、前者の構成では、まず、プリンターの画像形成機構における定着機構としての定着ローラ組だけを離間可能にさせるので、プリント用紙がプリント用紙搬送路の他の位置に詰まったら、やはり排除され難く、実用性が良くない。そして、通常時の定着ローラ組の密接性は、トナーカートリッジのレバー付きカムを介する押さえによるので、トナーカートリッジ内に残存しているトナーの量と共に変動し、定着効果を不安定にさせる。また、後者の構成では、まず、モーターを一旦逆転させてから始めて紙詰まりの排除をすることができるので、紙詰まりをもたらしやすい停電の時に、丁度紙詰まりが起こったら、この方式で紙詰まりの排除を行うことができない。そして、モーターの逆転は、元来、トナーをトナーカートリッジから携えてプリンターの内外に散らせる問題点があるので、紙詰まりの良い対応策ではない。
【特許文献１】米国特許第６６８１０９０号明細書
【特許文献２】米国特許第７１１６９２６号明細書
【発明の開示】
【発明が解決しようとする課題】
【０００９】
前記従来技術の欠点に鑑みて、本発明は、紙（用紙または原稿など）搬送路に紙が詰まったら、モーターの操作が要らずにそこから紙が容易に取り外されうる画像形成装置を提供することを目的とする。
【００１０】
本発明は、また、その紙詰まりの排除構成が、定着ローラ組や感光ローラ組などの画像形成機構になんらの悪影響を与えない画像形成装置を提供することを他の目的とする。
【課題を解決するための手段】
【００１１】
上記目的を達成するため、本発明は、紙搬送路をなしているローラ群と、モーターが組み込まれる上、該モーターの駆動力を前記ローラ群に伝えるように構成されている歯車列との連動で、紙を取り入れ、そして、画像形成機構を通り掛かって画像形成処理を受けるように搬送してから送り出す画像形成装置において、前記歯車列は、両端部を有し、その一端部が支持軸により第１の所定位置に軸支されて該支持軸上に回転可能になっているロッカーアームの外、更に、その歯車同士の連動関係において、前記モーターに対し、より近い側からより遠い側へと、前記支持軸に回転可能に軸支されており、且つ、正常稼動時に駆動される上、前記ロッカーアームを回転させることができるように配置構成されている第１の歯車と、前記ロッカーアームの他端部に、正常稼動時に前記第１の歯車の回転に駆動されて回転するように取付けられている第２の歯車と、第２の所定位置に、正常稼動時に前記第２の歯車と噛み合って回転し、且つ、前記ロッカーアームの前記回転を止めるように取付けられている第３の歯車とを備えている画像形成装置を提供する。
【００１２】
前記画像形成装置は、コピーマシンであっても良く、プリンターであっても良い。また、前記構成は、コピーマシンの原稿搬送の方にも、コピー用紙搬送の方にも、または、プリンターのプリント用紙搬送にも適用できる。即ち、前記紙は、場合により、原稿、コピー用紙、及びプリント用紙のいずれかであっても良い。
【００１３】
そして、前記第１の歯車と、第２の歯車と、第３の歯車との歯車組は、その連動関係において、前記のように、前記モーターに対し、より近い側からより遠い側へと並んでおれば、歯車列の、モーターによってローラ群における紙取入れローラ組を駆動する側及び紙送出しローラ組を駆動する側のどっちに並んでいても良く、また、両側にそれぞれ一組となって並んでいても良いが、特に一組だけあってモーターの出力軸と前記両側の分岐点との間に並んでいることが好ましい。なお、分岐点が一つ以上、例えば、プリント用紙取入れローラ組１１への分岐とプリント用紙送出しローラ組１３への分岐とが分岐点が同一でない場合、または、プリント用紙取入れローラ組１１への分岐とプリント用紙送出しローラ組１３への分岐の他にも、感光ローラ組２１への分岐も、定着ローラ組２２への分岐もある上、それぞれ連動関係において分岐点がある場合、前記第１の歯車と、第２の歯車と、第３の歯車との歯車組は、一組だけあり、且つ、モーターの出力軸と、連動関係においてモーター３００と一番近い分岐点との間に並んでいることがもっと好ましい。
【００１４】
また、本発明は、前記画像形成機構には定着ローラなどの画像定着機構を備えており、該画像定着機構は、定着ローラ組の外に、更に、トナーを供給するためのトナーカートリッジと、本体と該本体に突っ張るように配置されている付勢手段とからなっており、且つ、通常時に前記本体が前記付勢手段に対抗して付勢力を発生させながら前記トナーカートリッジに押さえられ、前記ロッカーアームを押さえていない第１の位置に位置し、前記トナーカートリッジが取り外された時に前記本体が前記付勢手段の付勢力に押さえられて前記ロッカーアームを押して回転させてから、前記第２の歯車を前記第３の歯車から離間させた第２の位置に移動することができるように配置構成されている押動手段と、を備えている画像形成装置も提供する。
【発明の効果】
【００１５】
前記構成による画像形成装置は、まず前記第１の歯車が駆動されていない非稼動時に前記第３の歯車が外力により回転されると、前記ロッカーアームは前記第２の歯車を介して伝達される前記第３の歯車の回転力により撥ねられ、前記第２の歯車を前記第３の歯車から離間させ、紙搬送路の、前記第１の歯車と第２の歯車と第３の歯車との歯車組により駆動されるローラ組、例えば紙取り入れローラ組及び／または紙送り出しローラ組をそのモーターとの連動関係による係止からリリースすることができるので、そこに詰まった紙が容易に引っ張られて取り出されることができ、特に、詰まった紙が紙取り入れローラ組または紙送り出しローラ組から画像形成装置外に露出している場合、前記トナーカートリッジが取り外されていなくても、直接に詰まった紙の露出している部分を引っ張って紙全体を取り出すことができる。
【００１６】
前記構成による画像形成装置は、また、前記押動手段が設けてある場合、前記トナーカートリッジが取り外されると、前記本体が前記付勢手段の付勢力に押さえられて前記ロッカーアームを押して回転させてから、前記第２の歯車を前記第３の歯車から離間させた第２の位置に移動し、第１の歯車と、第２の歯車と、第３の歯車との歯車組により駆動されるローラ組、例えば紙取り入れローラ組及び／または紙送り出しローラ組をそのモーターとの連動関係による係止からリリースすることができるので、そこに詰まった紙が容易に引っ張られて取り出されることができ、特に、詰まった紙が紙取り入れローラ組または紙送り出しローラ組から画像形成装置外に露出していない場合、この構成が役に立つ。
【発明を実施するための最良の形態】
【００１７】
以下、図４〜図１５に示すコンピュータ用のプリンターを例として本発明の画像形成装置を説明する。
【００１８】
図４は、本発明の第一の実施形態例のプリンターにおけるプリント用紙搬送路を示す側面構成図であり、図５は、前記プリンターにおけるローラ群と歯車列との連動関係を略示する側面構成図である。
【００１９】
該プリンターは、プリント用紙搬送路をなしているローラ群１と、画像形成機構２と、プリンター全体の動力源としてのモーター３００が組み込まれる上、該モーター３００の駆動力を前記ローラ群１に伝えるように構成されている歯車列３とを備えている。図４に示すように、ローラ群１は、プリント用紙をプリンター内に取入れるプリント用紙取入れローラ組１１（プリント用紙取入れローラ１１１、１１２）と、プリント用紙案内ローラ組１２（プリント用紙案内ローラ１２１、１２２）と、プリント用紙をプリンター外に送り出すプリント用紙送出しローラ組１３（プリント用紙送出しローラ１３１、１３２）とを備えており、且つ、プリント用紙取入れローラ組１１とプリント用紙送出しローラ組１３とをプリント用紙搬送路の両端にしたものである。
【００２０】
画像形成機構２は、感光機構と画像定着機構とを備えており、また、感光機構として感光ローラ組２１（感光ローラ２１１、２１２）を主に備えており、定着機構として定着ローラ組２２（定着ローラ２２１、２２２）を主に備えている。
【００２１】
歯車列３は、複数の歯車組で構成される上、モーター３００の出力軸（図示せず）から駆動力を取り出してから分岐し、ローラ群１におけるプリント用紙取入れローラ組１１、プリント用紙送出しローラ組１３、及び、画像形成機構２における感光ローラ組２１、定着ローラ組２２などをそれぞれ駆動することができるように配置されている。
【００２２】
また、図５に示すように、ローラ群１と、画像形成機構２と、歯車列３とは、ローラ群１と歯車列３との連動関係で、プリント用紙を取り入れ、そして、画像形成機構２における感光ローラ組２１と定着ローラ組２２とを通過して画像形成処理を受けるように搬送してから送り出す構成になっている。即ち、画像形成機構２における感光ローラ組２１及び定着ローラ組２２も、プリント用紙搬送路の一部となっていて、紙詰りの時、ローラ群１におけるプリント用紙取入れローラ組１１及びプリント用紙送出しローラ組１３と同様にプリント用紙をそこに固く挟むことが可能である。
【００２３】
次に、図面にはっきりと示していないが、この実施形態例における歯車列３においては、プリント用紙取入れローラ組１１への分岐もあり、プリント用紙送出しローラ組１３への分岐もあり、感光ローラ組２１への分岐もあり、定着ローラ組２２への分岐もあり、この四つの分岐には感光ローラ組２１への分岐の分岐点が連動関係においてモーター３００と一番近くなっている。
【００２４】
そして、モーター３００と、歯車列３における感光ローラ組２１への分岐の分岐点との間には、第１の歯車３１１と、第２の歯車３１２と、第３の歯車３１３との歯車組３１が配置構成されている。即ち、歯車組３１がモーター３００との連動関係からリリースされると、感光ローラ組２１だけでなく、プリント用紙取入れローラ組１１も、プリント用紙送出しローラ組１３も、定着ローラ組も、モーター３００との連動関係からリリースされる。
【００２５】
なお、この第１の歯車３１１と、第２の歯車３１２と、第３の歯車３１３とは、その連動関係において、モーター３００に対し、より近い側からより遠い側へと前記の順序で並んでいる。詳しく説明すれば、歯車列３は、図５〜図7に示すように、また、ロッカーアーム３１０を備えており、このロッカーアーム３１０は、両端部を有し、その一端部が支持軸３１４（図７参照）により第１の所定位置に軸支されて該支持軸上に回転可能になっている。そして、第１の歯車３１１は、支持軸３１４に回転可能に軸支されており、且つ、正常稼動時に所定方向に駆動される上、ロッカーアーム３１０を前記所定方向に回転させることができるように配置構成されている。第２の歯車３１２は、ロッカーアーム３１０の他端部に、正常稼動時に第１の歯車３１１の回転に駆動されて前記所定方向と反対する反対方向に回転するように取付けられている。第３の歯車３１３は、第２の所定位置に、正常稼動時に前記第２の歯車３１２と噛み合って前記所定方向に回転し、且つ、ロッカーアーム３１０の前記回転を止めるように取付けられている。図１０に示すように、このような構成により、第１の歯車３１１が駆動されていない非稼動時に第３の歯車３１３が外力により前記所定方向（送出しローラの方から引っ張る時）ないしその反対方向（取入れローラの方から引っ張る時）に回転されると、ロッカーアーム３１０は第２の歯車３１２を介して伝達される第３の歯車３１３の回転力により前記反対方向に撥ねられ、第２の歯車３１２を第３の歯車３１３から離間させることができる。
【００２６】
もっと詳しく説明すれば、図６に示すように、ロッカーアーム３１０は、その支持軸３１４を有する前記一端部に第１の歯車３１１と摩擦関係になっている円環形の突縁３１０aが設けてあるので、正常稼動時に第１の歯車３１１の回転により駆動されて前記所定方向に回転することができる。
【００２７】
なお、前記非稼動時に第３の歯車３１３にかかる外力とは、プリント用紙搬送路の通過しているいずれかのローラ組に挟まれたプリント用紙が強力に引っ張られてから歯車列３の連動関係に沿って第３の歯車３１３に伝わってくる回転トルクをいう。
【００２８】
また、画像形成機構２、特に画像定着機構には、図４〜図９に示すように、更に、トナーを供給するためのトナーカートリッジ２３と、ロッド状となっている本体２４１と該本体２４１の一端部２４１ｃに突っ張るように配置されている付勢手段２４２とからなっており（図６参照）、且つ、通常時に本体２４１が付勢手段２４２に対抗して付勢力を発生させながらトナーカートリッジ２３に押さえられ、ロッカーアーム３１０を押さえていない第１の位置に位置し、トナーカートリッジ２３が取り外された時に、図９及び図１１に示すように、本体２４１が付勢手段２４２の付勢力に押さえられてロッカーアーム３１０を押して前記反対方向に回転させてから、第２の歯車３１２を第３の歯車３１３から離間させた第２の位置に移動することができるように配置構成されている押動手段２４とを備えている。
【００２９】
また、この実施形態例では、図８及び図９に示すように、前記付勢手段２４２として、その付勢力で本体２４１を前記第１の位置から前記第２の位置に線形的に移動させることができるコイルバネが使用されている。
【００３０】
そして、図６に示すように、本体２４１及びロッカーアーム３１０には、それぞれ前記線形的移動の方向に沿っている側面２４１ａ、３１０ｂがあり、そのうち、ロッカーアーム３１０の側面３１０ｂに、上面が斜面形のカム面３１０ｃとなった案内レール３１０ｄが形成されており、本体２４１の側面２４１ａにカム面３１０ｃに案内されうる突起２４１ｂが形成されている。そうすると、カム面３１０ｃは突起２４１ｂを案内しながら本体２４１の線形的移動の力量をロッカーアーム３１０を前記反対方向に回転させる力量に変更させることができる。それにより、トナーカートリッジ２３が取り外されると、本体２４１が付勢手段２４２としてのコイルバネの付勢力に押さえられてロッカーアーム３１０を押して前記反対方向に回転させてから、第２の歯車３１２を第３の歯車３１３から離間させた第２の位置に移動し、第１の歯車３１１と第２の歯車３１２と第３の歯車３１３との歯車組３１により駆動されるプリント用紙取入れローラ組１１、プリント用紙送出しローラ組１３、感光ローラ組２１及び定着ローラ組２２をそのモーター３００との連動関係による係止からリリースすることができるので、そこに詰まったプリント紙が容易に引っ張られて取り出されることができ、特に、詰まった紙がプリント用紙取入れローラ組１１または紙送出しローラ組１３から画像形成装置外に露出していない場合、この構成が役に立つ。
【００３１】
次に、図１２〜図１５を参考に本発明の第二の実施形態例であるコンピュータ用のプリンターについて説明する。
【００３２】
この実施形態例のプリンターは、構成が第一の実施形態例のプリンターとほぼ同じであるが、ただ、図１２及び図１３に示すように、そのロッカーアーム３１０’の他端部に円環形突起３１０’ｄが形成されており、また、その押動手段において、本体としてクランク２４１Ａが使用されており、該クランク２４１Ａは、両端部を有し、且つ、その一端部が通常時にトナーカートリッジ２３に前記所定方向に押さえられることができるように回動可能に軸支されており、また、付勢手段としてねじりバネ２４２Ａが使用されており、該ねじりバネ２４２Ａは、トナーカートリッジ２３がクランク２４１Ａの前記一端に押さえている時に圧縮されてクランク２４１Ａに前記反対方向に回動する付勢力を与え、トナーカートリッジ２３が取り外された時に、前記付勢力でクランク２４１Ａを前記第１の位置から前記第２の位置にカーブ状に移動させてクランク２４１Ａの他端部でロッカーアーム３１０’の他端部を前記反対方向に回転させるように取付けられている。そして、クランク２４１Ａにおける他端部の先端面が円弧状となっており、且つ、前記トナーカートリッジ２３が取り外された時に円環形突起３１０’ｄの外表面でクランク２４１Ａの円弧状先端面と当接すると同時に、前記クランク２４１Ａからの押圧力を受けるように配置構成されている。それにより、トナーカートリッジ２３が取り外されると、クランク２４１Ａがねじりバネ２４２Ａの付勢力に押さえられてロッカーアーム３１０’を押して前記反対方向に回転させてから、第２の歯車３１２を第３の歯車３１３から離間させた第２の位置に移動し、第１の歯車３１１と第２の歯車３１２と第３の歯車３１３との歯車組３１により駆動されるプリント用紙取入れローラ組１１、プリント用紙送出しローラ組１３、感光ローラ組２１及び定着ローラ組２２をそのモーター３００との連動関係による係止からリリースすることができるので、そこに詰まったプリント用紙が容易に引っ張られて取り出されることができ、特に、詰まった紙がプリント用紙取入れローラ組１１またはプリント用紙送出しローラ組１３から画像形成装置外に露出していない場合、この構成が役に立つ。
【産業上の利用可能性】
【００３３】
叙上のように、本発明の画像形成装置は、紙搬送路に詰まった紙が紙取り入れローラ組または紙送り出しローラ組から画像形成装置外に露出している場合、トナーカートリッジが取り外されていなくても、直接に詰まった紙の露出している部分を引っ張って紙全体を取り出すことができる。また、詰まった紙が紙取り入れローラ組または紙送り出しローラ組から画像形成装置外に露出していないまま、紙詰りを排除しようとする場合、先にトナーカートリッジを取り外してから、詰まった紙を引っ張ることで済む。
【００３４】
即ち、本発明の画像形成装置によれば、紙詰り排除の作業に手間が掛からず、利便性が向上される。
【図面の簡単な説明】
【００３５】
【図１】特許文献１に係るプリンターにおいて、そのトナーカートリッジが取り外された時の側面構成図である。
【図２】特許文献１に係るプリンターにおいて、そのトナーカートリッジが装着された時の側面構成図である。
【図３】特許文献２に係るプリンターにおける歯車列の連動関係を略示する側面構成図である。
【図４】本発明の第一の実施形態例のプリンターにおけるプリント用紙搬送路を示す側面構成図である。
【図５】本発明の第一の実施形態例のプリンターにおけるローラ群と歯車列との連動関係を略示する側面構成図である。
【図６】本発明の第一の実施形態例のプリンターにおける歯車組と押動手段との構成関係を示す分解斜視図である。
【図７】本発明の第一の実施形態例のプリンターにおける歯車組と押動手段との連動関係を説明する側面図である。
【図８】図６における歯車組と押動手段との構成関係において、トナーカートリッジが装着されて押動手段が第１の位置に位置するようになった時の斜視図である。
【図９】図８におけるトナーカートリッジが取り外されて押動手段が第２の位置に位置するようになった時の斜視図である。
【図１０】本発明の第一の実施形態例のプリンターにおいて、トナーカートリッジが装着されたまま、紙詰りを排除する時の歯車列と押動手段との連動関係を略示する側面構成図である。
【図１１】本発明の第一の実施形態例のプリンターにおいて、トナーカートリッジが取り外されてから紙詰りを排除しようとする時の歯車列と押動手段との連動関係を略示する側面構成図である。
【図１２】本発明の第二の実施形態例のプリンターにおける歯車組と押動手段との、そのトナーカートリッジが装着されて押動手段が第１の位置に位置するようになった状態時の構成関係を示す斜視図である。
【図１３】図１２におけるトナーカートリッジが取り外されて押動手段が第２の位置に位置するようになった状態の斜視図である。
【図１４】図１２における歯車組と押動手段との構成関係をもっと詳しく示す側面図である。
【図１５】図１４の構成関係において、トナーカートリッジが取り外されて押動手段が第２の位置に位置するようになった時の側面図である。
【符号の説明】
【００３６】
１１    プリント用紙取入れローラ組
１１１，１１２    プリント用紙取入れローラ
１２    プリント用紙案内ローラ組
１２１，１２２    プリント用紙案内ローラ
１３    プリント用紙取出しローラ組
１３１，１３２    プリント用紙取出しローラ
２    画像形成機構
２１    感光ローラ組
２１１，２１２    感光ローラ
２２    定着ローラ組
２２１，２２２    定着ローラ
２３    トナーカートリッジ
２４    押動手段
２４１    本体
２４１Ａ    クランク
２４１ａ    側面
２４１ｂ    突起
２４１ｃ    一端部
２４２    付勢手段
２４２Ａ    ねじりばね
３    歯車列
３１０，３１０’    ロッカーアーム
３１０ａ    円環形突縁
３１０ｂ    側面
３１０ｃ    カム面
３１０ｄ    案内レール
３１０’ｄ    円環形突起
３１１    第１の歯車
３１２    第２の歯車
３１３    第３の歯車
３１４    支持軸
【図１】
0004870131.tif 000002
【図２】
0004870131.tif 000003
【図３】
0004870131.tif 000004
【図４】
0004870131.tif 000005
【図５】
0004870131.tif 000006
【図６】
0004870131.tif 000007
【図７】
0004870131.tif 000008
【図８】
0004870131.tif 000009
【図９】
0004870131.tif 000010
【図１０】
0004870131.tif 000011
【図１１】
0004870131.tif 000012
【図１２】
0004870131.tif 000013
【図１３】
0004870131.tif 000014
【図１４】
0004870131.tif 000015
【図１５】
0004870131.tif 000016